Podtech/llm-jp-corpus-v4-ja_patent huggingface dataset:
(57)【要約】      （修正有）【課題】片手で簡単に開閉することができ、片手の不自由な人でも簡単に使用できる布団挟みを提供する。【解決手段】湾曲した２本のアームの上端を連結具４で回動自在に連結し、スプリング５で内側に付勢した構造の布団挟みにおいて、一方のアーム３の上方に湾曲した開閉アーム６を連結固定し、その先端部近くに掛止め部６ａを設け、もう一方のアーム２の中間部に開閉アーム止め具７を回動可能に取り付けた布団挟みである。【選択図】図１
0003184227.tif 000002
【実用新案登録請求の範囲】
【請求項１】
湾曲した２本のアームの上端を回動自在に連結し、スプリングで内側に付勢した構造の布団挟みにおいて、一方のアームの上方に湾曲した開閉アームを連結固定し、その先端部近くに掛止め部を設け、もう一方のアームの中間部に開閉アーム止め具を回動可能に取り付けた布団挟み。
【考案の詳細な説明】
【技術分野】
【０００１】  本考案は、ベランダ等に布団を干す時に使用する布団挟みに関するものである。
【背景技術】
【０００２】  ベランダ等に布団を干す時、湾曲した２本のアームの上端を回動自在に連結し、スプリングで内側に付勢した構造の布団挟みが広く使用されている。
【先行技術文献】
【特許文献】
【０００３】
【特許文献１】登録実用新案第３０５８５３７号
【考案の概要】
【考案が解決しようとする課題】
【０００４】  ベランダ等に布団を干す時に、湾曲した２本のアームの上端を回動自在に連結し、スプリングで内側に付勢した構造の布団挟みは広く使用されているが、布団を挟むときに両手を使ってアームを開かなければならない。
両手でアームを開くとき、布団を押えていた手を離したときに布団がずり落ちたり、片手が不自由な人にはアームが思うように開けない等の問題がある。
登録実用新案第３０５８５３７号においては、２本の湾曲アームのうち一方の湾曲アームの中間部に係止アームを設け、もう一方の湾曲アームに係止部を設け、両手でアームを開いた後、係止アームをアーム係止部に架けて開いた状態を維持したまま布団を挟むと、係止アームが湾曲アームから外れて湾曲アームを閉じるというものである。布団のずり落ちを防止するために開いた状態を維持して布団を挟むという点では優れていると言える。しかし、アームを開くときに両手を使用しなければならず、片手が不自由な人にとっては使い勝手が悪い。
本考案は、片手で簡単にアームを開閉することができ、開いた状態を維持したまま布団に装着できる布団挟みを提供する。
【課題を解決するための手段】
【０００５】  本考案は、湾曲した２本のアームの上端を回動自在に連結し、スプリングで内側に付勢した構造の布団挟みにおいて、一方の湾曲アームの上方に、湾曲した開閉アームを連結固定して該開閉アームの先端部近くに掛止め部を設け、もう一方の湾曲アームの中間部に開閉アーム止め具を回動可能に取り付けた布団挟みである。
開閉アームに近い方の湾曲アームと開閉アームを片手で強く握ると湾曲アームが開き、開いた状態で開閉アームの掛止め部に開閉アーム止め具を掛けて布団に装着した後、開閉アーム止め具を外して湾曲アームを閉じることができる。また、布団から取り外すときも片手で簡単に開閉できる。
【考案の効果】
【０００６】  本考案は、片手で簡単に湾曲アームを開くことができ、開いた状態を維持したまま装着できるので、布団を挟むときにずり落ちる心配がなく、片手の不自由なひとでも片手で簡単に装着、取り外しができる。
【図面の簡単な説明】
【０００７】
【図１】本考案の布団挟み
【図２】本考案の布団挟みの開いた状態を示す図
【図３】実施例の布団挟み
【考案を実施するための形態】
【０００８】  本考案を図１により説明する。
本考案の布団挟み（１）は、アームａ（２）とアームｂ（３）の上部を連結具（４）にて回動自在に連結し、アームａ（２）とアームｂ（３）とが内側に付勢するようにスプリング（５）を連結部に取り付けた構造の布団挟みにおいて、アームｂ（３）の上方に開閉アーム（６）を連結固定し、該開閉アーム（６）の先端部近くに掛止め部（６ａ）を設ける。アームａ（２）の中間部に開閉アーム止め具（７）を回動可能に取り付ける。
アームｂ（３）と開閉アーム（６）との連結方法は、ネジ止め、嵌込みあるいは接着等いろいろの方法が考えられる。
【０００９】  本考案を使用するときは、アームａ（２）と開閉アーム（６）を片手で強く握ると、アームａ（２）が開閉アーム（６）に引寄せられて開くので、開閉アーム止め具（７）を開閉アーム（６）の掛止め部（６ａ）に掛けて開いた状態を維持したまま布団に装着し、開閉アーム止め具（７）を掛止め部（６ａ）から外す。尚、開閉アーム止め具（７）を掛止め部（６ａ）に止めることなく、アームａ（２）と開閉アーム（６）を片手で強く握って開いた状態を維持したままで布団に装着することもできる。本考案を布団から取り外すときも片手で簡単に開閉できる。
【実施例】
【００１０】  上記、考案を実施するための形態において、アームｂ（３）と開閉アーム（６）とを一体構造とすれば、より簡単な構造とすることができる。
この実施例を図３により説明する。
実施例の布団挟み（１１）は、アームｂ（１３）より上方に湾曲状に延伸した部分を開閉アーム部（１３ａ）とし、該開閉アーム部（１３ａ）の先端部近くに掛止め部（１３ｂ）を設ける。他の部分については、考案を実施するための形態と同様の構造である。
実施例の布団挟み（１１）の使用方法は、本考案の布団挟み（１）と同様である。
【符号の説明】
【００１１】  １    本考案の布団挟み
２    アームａ
３    アームｂ
４    連結具
５    スプリング
６    開閉アーム
６ａ  掛止め部
７    開閉アーム止め具
１１    実施例の布団挟み
１２    アームａ
１３    アームｂ
１３ａ  開閉アーム部
１３ｂ  掛止め部
１４    連結具
１５    スプリング
１６    開閉アーム止め具
【図１】
0003184227.tif 000003
【図２】
0003184227.tif 000004
【図３】
0003184227.tif 000005
(57)【要約】      （修正有）【課題】植木鉢、プランター等に植えられた容器に全面に均等に給水し植物の育成を均等にする給水ノズルを提供する。【解決手段】柔軟性のあるチューブ本体１の長手方向に吸水出口孔４を開けその中に針金２を挿入し針金の硬度を利用しチューブを容器形状に変形させ容器面に均等に給水できることを特徴とする。【選択図】図１
0003184222.tif 000002
【実用新案登録請求の範囲】
【請求項１】
柔軟性を持つチューブの内側に針金を挿入しチューブの一方に閉止栓を設けチューブの他方にはチューブ接続片または弁を取付け、チューブの閉止栓に針金の一方を固定し針金の他方は固定せず、チューブには長手方向に１個以上の孔を等間隔に開け、チューブと針金の長さの範囲で針金を曲げることで自由な形状を作ることが可能であり、針金はチューブ内に圧力水を注入した際に変形状態を保つことが出来る硬度を有しており、針金の径よりチューブ内径は十分余裕のある口径にし、このチューブ内に圧力水を注入することでチューブの孔より水が出ることを特徴とする変形可能なチューブノズル。
【請求項２】
チューブは柔軟性がある材質で大気中水中でも劣化の無いものであれば何れでも良く、針金材質は硬度により変形した状態が維持され大気中水中で腐食の無い材質なら何れでも良くチューブと針金が同じ変形状態を維持する特徴を持つ請求項１の変形可能なチューブノズル。
【考案の詳細な説明】
【技術分野】
【０００１】  本考案は、植木鉢、プランター、地上植物への植物に給水する場合給水場所に効率よく給水するために、必要長さのチューブに孔を開け植木物の容器の形状及び植木物の幹形状に変形させ全面に給水可能にするための変形可能なチューブノズル。
【背景技術】
【０００２】従来、植木鉢、プランターへの集中給水装置による給水は支柱形式の１個ノズルに依る給水が主流であり面積の広い容器への給水は複数個のノズルを設置して広い範囲の給水を行っている。
【考案の概要】
【考案が解決しようとする課題】
【０００３】本考案は、植物の植込容器全面に効率よく給水することが可能となる様に柔軟性あるチューブに孔を開け給水が必要な容器形状範囲に短時間に均一に給水を行うことを課題とする。
【課題を解決するための手段】
【０００４】  柔軟性あるチューブに一方に閉止栓を設け他方はチューブ接続片又は弁を取り付けチューブに直線状に１個以上複数個の孔を等間隔に設け、その中に針金を挿入し針金の一方をチューブの閉止栓に固定し他方は自由な状態にする、チューブと針金を対象物の形状に近似変形させ給水場所に設置する、設置チューブの移動を防止するため固定支柱を取付ける事で全面均等に給水が可能となり効率良く給水するノズルを提供する。
【考案の効果】
【０００５】  植木植物への植込み部に全面均等に給水することは植物の根の部分に均等にタイムリーに給水されることで均一に発育する。均一に給水できるため給水時間の短縮も可能。
既存の水遣り機にもそのまま使用することが可能。
【図面の簡単な説明】
【０００６】
【図１】  変形可能なチューブノズルの断面構造図である。
【図２】  変形可能なチューブノズル使用例図である。
【図３】  変形可能なチューブノズルと支柱の設定概略図である。
【図４】  変形可能なチューブノズルの使用例図である。
【考案を実施するための最良の形態】
【０００７】  以下、本考案にかかる変形可能なチューブノズルの好適な実施の形態を添付する図１〜図４に基づき詳述する。図１の変形可能なチューブノズルの断面の概略を示し柔軟性の有るチューブ本体１内に針金２閉止栓３給水出口孔４とチューブ接続片５の関係を示す。給水出口孔４はチューブ本体１に長手方向に等間隔に孔を開ける。チューブ本体１を外部より曲げると内部の針金１も同時に曲げられる。曲げられた針金２の硬度よりチューブ本体１の復元力が小さければチューブ本体１は曲げられた状態を維持する。【０００８】  図２は設置場所にチューブの固定とチューブと土との距離位置関係を保持するため着脱が容易な支柱を１個以上複数個取付け可能で取付け位置は自由に設定可能な事、変形状態の維持を利用した設置例である、植木鉢８プランター７の容器の形状に合わせたチューブ本体１の状態である。【０００９】  図３はチューブ本体１を支柱６で支持し容器内の土との関係保持概要図でありチューブ本体１の設置場所を保持する。チューブ本体１が長い場合は支柱６を複数個設置し設置位置の保持することも出来る。【００１０】  図４は給水源より供給される給水をヘッダー１１より各目的給水先に給水するための接続例を示す。給水ヘッダー１１の近くに給水目的物がある場合は給水ヘッダー１１の給水調整弁１０より接続チューブ９を使用しチューブ本体１のチューブ接続片５に接続して使用する。給水ヘッダー１１より離れている場合はチューブ本体１に給水調整弁１０を取付け給水ヘッダー１１との間を接続チューブ９で接続して使用する。
【符号の説明】
【００１１】  １      チューブ本体
２      針金
３      閉止栓
４      給水出口孔
５      チューブ接続片
６      支持支柱
７      プランター
８      植木鉢
９      接続チューブ
１０      給水調整弁
１１      給水ヘッダー
【図１】
0003184222.tif 000003
【図２】
0003184222.tif 000004
【図３】
0003184222.tif 000005
【図４】
0003184222.tif 000006
(57)【要約】      （修正有）【課題】高性能な工具で無く市販のマイナスドライバー又はこれに少し手を加えた工具に拠って埋め込み作業が行える頭部に２ヶ所の刷り割を設けた外形ネジ型埋め込みナットを提供する。【解決の手段】外形ネジ型埋め込みナットの上面に直経方向に２ケ所マイナスドライバー用の刷割７を設ける。【選択図】図２
0003184223.tif 000002
【実用新案登録請求の範囲】
【請求項１】
頭部に２ヵ所の刷り割を設けた事を特徴とした外形ネジ型埋め込みナット
【考案の詳細な説明】
【技術分野】
【０００１】  本考案は外形ネジ型埋め込みナットの埋め込み作業に関するものである。
【拝啓技術】
【０００２】  外形ネジ型埋め込みナットの埋め込み工具の性は向上し、構造も副維化し価格も高くなって、少数多種の加工には適さなく成ってきた。
【考案が解決しようとする課題】
【０００３】  前記埋め込み工具に市販のマイナスドライバーを埋め込みナットの種類に合わせた寸法に加工して使用したい。
【課題を解決するための手段】
【０００４】  従来の埋め込みナットの頭部に２ヵ所の刷り割を設けて、寸法を合わせたマイナスドライバーで埋め込みナットの埋め込み作業が行える様にする。
【考案の効果】
【０００５】  上述の様に外形ネジ型埋め込みナットの多種少数の埋め込み作業が、埋め込みナットの種類（寸法）に合わせたマイナスドライバーさえあれば簡単に行う事が出来る。
【考案を実施するための最良の形態】
【０００６】  従来の外形ネジ型埋め込みナットの大きさＭ２，６用以上、長さ３ｍｍ以上に適用され。るものである。
【実施例】
【０００７】  以下添付図面に従って実施例を説明する。（１）埋め込みナット本体・（２）補強ネジ部、（３）外形テーパーネジ部、（４）外形ネジ不加工部、（５）埋め込みナット頭部、（６）下部面取り部、（７）刷り割加工部、であって、本考案は従来の埋め込みナット頭部（５）に、埋め込みナットの直経方向に２ヵ所の刷割を設けた事を特徴とするものである。
【図面の簡単な説明】
【０００８】
【図１】本考案の実施例の側面図である。
【図２】本考案の実施例の平面図である。
【符号の説明】１…‥埋め込みナット本体
２…‥補強ネジ部
３…‥外形ネジ部
４…‥外形ネジ不加工部
５…‥埋め込みナット頭部
６…‥下部面取り部
７…‥刷割加工部
【図１】
0003184223.tif 000003
【図２】
0003184223.tif 000004
(57)【要約】      （修正有）【課題】足に履いて歩く為の履物であって足裏に掛かる体重を利用して身体が正常なバランスを得て肩こり腰痛等の異変を解消し筋肉関節の鍛錬基礎体力向上と健康促進することを特徴とする履物を提供する。【解決手段】足裏の先端爪先６部分から中間地点土踏まず８部分が履物本体で密着し足裏中間部分土踏まず８部分から踵７部分までは地面１０にも接触しない履物本体にも接触しない宙に浮いている状態にて、歩行運動の時には先端から中間部分に力が加わるので、自然と身体全体の姿勢が良い状態に保たれる事により、身体のゆがみを正常な状態に矯正する効果があるので肩こりや腰痛の緩和解消も容易であり健康の増進と足部の筋肉鍛錬効果がある。【選択図】図４
0003184224.tif 000002
【実用新案登録請求の範囲】
【請求項１】
足裏の爪先から土踏まずまでのみ密着する履物本体を有する履物。
【考案の詳細な説明】
【技術分野】
【０００１】  本考案は、足に履き歩くことにより身体の姿勢が良くなり健康になる形状の履物に関するものである。
【背景技術】
【０００２】  従来の履物は楕円形の形状で足に合わして足の裏が地面に触れて汚れるのを防ぐ目的の草履、靴、スリッパなどが存在していた。
【考案の概要】
【考案が解決しようとする課題】
【０００３】現代の社会では歩く機会などは減少基礎体力が低下している、身体のゆがみから肩こり腰痛が多い。
【課題を解決するための手段】
【０００４】足裏平面の半分部分、踵から土踏まずに掛かる部分を地面に触れないように浮かした状態で履物を履いて歩く構造で、爪先から土踏まず部分に力を入れバランスを取る為に効率よい歩行運動となる、足に掛かる力配分により姿勢が良くなり背筋、足首、ひざ、足の筋肉に刺激を与え基礎体力を高め健康促進出来る事を特徴とする履物を提供するものである。
【考案の効果】
【０００５】本考案においては、足裏の先端爪先６部分から中間地点土踏まず８部分が履物本体３で密着し足裏中間部分土踏まず８部分から踵７部分までは地面１０にも接触しない履物本体３にも接触しない宙に浮いている状態にて、歩行運動の時には先端から中間部分に力が加わるので、自然と身体全体の姿勢が良い状態に保たれる事により、身体のゆがみを正常な状態に矯正する効果があるので肩こりや腰痛の緩和解消も容易であり健康の増進と足部の筋肉鍛錬効果がある。
【図面の簡単な説明】
【０００６】
【図１】本考案の履物を上から全体を示した図
【図２】履物に足を入れた上からの図
【図３】履物を横から見た図
【図４】履物を横から見て足を入れた図
【図５】普通の草履を上から見た図
【考案を実施するための形態】
【０００７】以下、本考案を図とともに説明する。
本考案は足裏爪先６から土踏まず８までのみ密着する履物本体３を有している。
［図１］に示すように［図５］に示す普通の履物１１は足裏全体を踏んで歩行するが、本考案履物１２は［図１］に示すように爪先６から土踏まず８部分までを踏んで歩行する。土踏まず８部分から踵７部分は［図４］に示すように宙に浮いた状態になり地面１０に触れないように歩行する。鼻緒１を親指４と中指５で挟み掛緒２を足の甲９を掛けて止める。［図５］普通の履物１１に比べて履物１２は土踏まず８部分から踵７部分を受け止める部分が無い形状である。
【０００８】本考案は健康ダイエットに効果がありまた足部の鍛錬用としても利用できる履物である。足裏平面半分部分に掛かる踵から土踏まず部分を地面に触れないように浮かした上体で履物を履いて歩く構造であるので。足先に力を入れバランスを取る為効率よい歩行運動が出来る。足に掛かる力配分から姿勢が良くなり背筋、足首、ひざ、足の筋肉に刺激を与え基礎体力を高め健康促進出来るものである。
【理学上の利用可能性】
本考案は、足腰の鍛錬用として効果がある、運動用履物として有用である。
【符号の説明】
【０００９】１    鼻緒
２    掛緒
３    履物本体
４    親指
５    中指
６    爪先
７    踵（かかと）
８    土踏まず
９    足の甲
１０  地面
１１  普通の履物
１２  履物
【図１】
0003184224.tif 000003
【図２】
0003184224.tif 000004
【図３】
0003184224.tif 000005
【図４】
0003184224.tif 000006
【図５】
0003184224.tif 000007
(57)【要約】      （修正有）【課題】携帯性を有し、パッドが便座に安定して保持され、快適かつ衛生的な使用感を与える折り畳み可能な便座カバーを提供する。【解決手段】折り畳み可能な便座カバーは、折り畳み可能なパッド１と、当該パッドに連結された複数の帯１２と、を有することを特徴とする。これによって便座にパッドを置くと、使用者の衛生的な着座に関して便座上に便座カバーを安定して保持するために複数の帯が便座と便器の間に各々挿入される。【選択図】図１
0003184297.tif 000002
【実用新案登録請求の範囲】
【請求項１】
便器に載置される便座に置かれるように適合された折り畳み可能なパッドと、
前記便座と前記便器の間の隙間に挿入されるように適合された前記折り畳み可能なパッドにそれぞれが固定された複数の帯と、を有し、
前記便座と前記便器の間の前記隙間に前記複数の帯を挿入すると、前記パッドは前記便座及び前記便器に着座する使用者のために前記便座に安定して保持される折り畳み可能な便座カバー。
【請求項２】
前記複数の帯は、連結部材によって前記パッドに各々固定される請求項１に記載の便座カバー。
【請求項３】
前記複数の帯は、前記便座と前記便器との間の高さよりも大きい或いは長い長さを各々有する請求項１に記載の便座カバー。
【請求項４】
前記連結部材は、各々柔らかい又は弾力性のある材料で作られている請求項２に記載の便座カバー。
【請求項５】
前記連結部材は各々弾性材料で作られていて、弾性によって前記パッドへ向かって正常に復元し、これにより前記便座カバーを折り畳むと、前記便座の容易な折り畳みのために前記連結部材によって弾性で復元するにつれて前記帯は前記パッドに向かって折り畳まれる請求項２に記載の便座カバー。
【考案の詳細な説明】
【技術分野】
【０００１】
本考案は、携帯便座カバーに関する。
【背景技術】
【０００２】
日本の実用新案登録第３１１０４３３号は本考案者によって考案され、衛生的な便座カバーを開示している。当該便座カバーは、折り畳み可能なパッド１が使用者の着座に適合して吸着及び固定されるように、便座カバーの折り畳み可能なパッド１の底部に形成された複数の吸着カップ１３、１３’を含んでいる。
【考案の概要】
【考案が解決しようとする課題】
【０００３】
しかし、便座カバーが保管または運搬の使用のために折り畳まれる時はいつも、吸着カップ１３、１３’は、折り畳まれた便座カバーの厚みが大きかったり、容積が大きくなったりしてしまい、使用者に不便を引き起こす。
【０００４】
本考案者は、従来技術の欠点を見つけ、本携帯便座カバーを考案した。
【課題を解決するための手段】
【０００５】
本考案の目的は、折り畳み可能なパッドと、当該パッドに連結された複数の帯と、を含み、これにより、便座にパッドを置く際に、使用者の衛生的な着座のために便座に便座カバーを安定して保持するために、複数の帯が便座と便器との間の隙間に各々挿入される。
【考案の効果】
【０００６】
本考案によれば、便座と便器との間の隙間に複数の帯を挿入することによって、便器の使用者のための快適かつ衛生的な着座に関してパッドが便座から解放されずに便座にしっかりと、または安定して保持される。
【図面の簡単な説明】
【０００７】
【図１】本考案の便座カバーが折り畳まれていない、または平らな状態での図である。
【図２】便座及び便器上に保持された際の本考案の部分断面図である。
【考案を実施するための形態】
【０００８】
上記図面に示すように、本考案は、便器（または便器のボウル）３に置かれた便座２の上に置かれるように適合された折り畳み可能なパッド１と、パッド１に各々固定された複数の帯１２と、を有する。
【０００９】
折り畳み可能なパッド１は、衛生目的に関して便座２に置くために展開されることができる従来のパッド、シート、フィルム、または紙から提供され、あるいは選択されてもよい。
【００１０】
帯１２は、各々長尺あるいは矩形のプレートとして形成され、好ましくは硬いプラスチック材料で作られているが、本考案はこれに限定されない。
【００１１】
帯１２は、柔らかくあるいは柔軟な連結部材１１によって折り畳み可能なパッド１に各々固定されている。連結部材１１は、プラスチックあるいはその他の適切な材料で作られている。連結部材１１は、適当な柔軟性、復元力、あるいは弾性を有する弾性材料で作られていてもよい。
【００１２】
帯１２は、各々折り畳み可能なパッド１の縁部から外方あるいは放射状に突き出ていて、便座２と便器３のボウルの頂部との間の高さＨよりも大きいあるいは長い長さＬを有する。
【００１３】
帯１２の各々の長さＬは、便座２と便器３の間の隙間Ａにおける帯１２の安定した挿入のために便座２と便器３の間の高さＨよりも長い又は大きくなくてはならない。そうでなければ、帯１２が短すぎる場合、帯１２は便座２と便器３の間の隙間Ａから容易に引き抜かれたり又は解放されたりするだろう。
【００１４】
ところで、帯１２は、本考案の折り畳み可能なパッド１に柔軟に固定される際に、便座２と便器３の間の隙間に安定して保持されるために便座２と便器３との間の隙間Ａに各々挿入される。その結果、便器の使用者のための快適かつ衛生的な着座に関してパッド１は便座２から解放されずに便座２にしっかりと又は安定して保持されるだろう。
【００１５】
使用していない際には、帯１２は、便座２と便器３の間の隙間から引っ張り出されてもよく、その結果折り畳み可能なパッド１は、保管または運ぶ目的のために折り畳まれてもよい。
【００１６】
連結部材１１が弾性部材で作られていて、かつ、パッド１に向かって弾性で正常に復元する場合、着座目的で使用していない際に、帯１２は便座カバーをより容易に折り畳むためにパッド１に向かって弾性で復元するか、または折り畳まれる。
【００１７】
本考案は、本考案の精神と範囲から逸脱することなく、さらなる変更が行われてもよい。
【図１】
0003184297.tif 000003
【図２】
0003184297.tif 000004
(57)【要約】      （修正有）【課題】鉢皿に花鉢などを乗せて飾るとき、板状のところがあれば挟んで使用できるように、アーム部の上部に鉢皿を設け、アーム部の下部にクリップを設けたクリップ付き鉢皿を提供する。【解決手段】アーム部１の一端に鉢皿２を設け、もう一端にクリップ３を設けたクリップ鉢皿を特徴とする。【選択図】図１
0003184218.tif 000002
【実用新案登録請求の範囲】
【請求項１】
アーム部（１）の一端に鉢皿（２）を設け、もう一端にクリップ（３）を設けたクリップ付き鉢皿。
【考案の詳細な説明】
【技術分野】
【０００１】この考案は、アーム部の一端に鉢皿を設け、もう一端にクリップを設けたクリップ付き鉢皿に関するものである。
【背景技術】
【０００２】従来、鉢皿とクリップは、別々であった。
【考案の概要】
【考案が解決しようとする課題】
【０００３】これは、次のような欠点があった。
従来、鉢皿はある程度の範囲の平らな場所でないと、安定して置くのが難しかった。
【課題を解決するための手段】
【０００４】アーム部（１）の一端に鉢皿（２）を設け、もう一端にクリップ（３）を設けた構成からなるクリップ付きの鉢皿にした。
【考案の効果】
【０００５】鉢皿とクリップがアーム部でつながって一体なので、板状の所があれば、そこをクリップで挟み込むことで、鉢皿として使用できることになる。
【考案を実施するための形態】
【０００６】以下、本考案の実施の形態について説明する。
アーム部（１）の一端に鉢皿（２）を固定して、もう一端にクリップ（３）を固定する。本考案は、以上のような構造である。これを使用するときは、板状の所にクリップを挟み込んで、鉢皿の上に花鉢などを乗せて使う。
【図面の簡単な説明】
【０００７】
【図１】本考案の斜視図である。
【符号の説明】
【０００８】１  アーム部
２  鉢皿
３  クリップ
【図１】
0003184218.tif 000003
(57)【要約】      （修正有）【課題】吸気の臭いを解消し、装着のままで会話が可能なマスクを提供する。【解決手段】マスクを、鼻を覆う部分１と口を覆う部分３の２室に分け、２呼吸室間の空気の流通を遮断するよう設けた隔壁が鼻下皮膚に接触する構造とした。さらに、各呼吸室はフィルタ効果・音声透過性の異なる素材で構成した。【選択図】図１
0003184103.tif 000002
【実用新案登録請求の範囲】
【請求項１】
ガーゼ、不敷布などフィルタ効果をもった素材からなるマスクであって、上下方向ほぼ中間に鼻下皮膚と接触する部分を設けることにより鼻部を覆う部分と口部を覆う部分の少なくとも２つの独立した呼吸器室を持つことを特徴とするマスク。
【請求項２】
請求項１に記載の鼻部および口部呼吸室および鼻下皮膚と接触部からなるマスクにおいて、それぞれの呼吸室が異なったフィルタ効果をもつ素材からなることを特徴とするマスク。
【考案の詳細な説明】
【技術分野】
【０００１】
本考案は、従来公知のガーゼ、不敷布マスクの改良に関する。
【背景技術】
【０００２】
嘗て、マスクは風邪引き、呼吸器疾患を罹った折に臨時的に短期間使用する対症療法用具であった。近年、インフルエンザ、サーズ（SARS）はじめ空気感染症防止、花粉症軽減、さらにPM2.5で表現される汚染された空気中で呼気の清浄化を目的として常時マスクをする人々が激増している。また、医療、理容・美容他業務従事者と顧客との距離が近い事業においてマスクは必須用具となっている。
【０００３】
このようにマスク使用が常態化しており、それに伴い装着時の快適化が望まれている。また、マスクを装着したまま人と会話すると、特にフィルター効果の顕著なマスクでは言語不明瞭となり、不便な思いに駆られることが度々発生する。
【０００４】
前記従来公知のマスクに対して、ゴム紐による耳痛の改善、息苦しさの改善、または美観の改善などがなされた商品が販売されている。一方、常時装着で発生する問題の一つである臭いに関しての対策は、例えば特許文献１、特許文献２に開示されているように、マスクを構成する部材に香水を含ませるなどの提案はあるが、臭いを根本的に抑制する手段は従来皆無である。すなわち、常時装着していると、マスクに臭いが付き、そこを通過してくる吸気が悪臭を帯び、特に敏感な人は装着を継続することが耐えられなくなる。
【先行技術文献】
【特許文献】
【０００５】
【特許文献１】実用新案登録第３１７７３８５号公報
【特許文献２】特開２００３−０７０９２３号公報
【考案の概要】
【考案が解決しようとする課題】
【０００６】
本考案は、前記の吸気の臭いを解消すること、さらに、マスク装着のままで会話が可能な利便性を確保することを目的になされたものである。
【課題を解決するための手段】
【０００７】
本考案は、ガーゼ、不敷布など多孔質体およびその積層体で形成された平坦あるいは曲面状平面体に紐・弦状耳かけをつけたマスクにおいて、鼻を覆う部分と口を覆う部分とからなり、それらの結合部がマスク装着時鼻の下に接触する形状をもつ構造を特徴とするマスクであり、さらに、鼻を覆う部分で形成される鼻部呼吸室と、口を覆う部分で形成される口部呼吸室とのそれぞれを、フィルター効果の異なる素材で形成した構造をもつマスクである。
【考案の効果】
【０００８】
本考案のマスクは、鼻部呼吸室と口部呼吸室とが分離され、しかもそれぞれの呼吸室が、効果の異なるフィルターで構成されているため、長時間の使用によっても、吸気が悪臭を帯びることがないという効果を奏する。
【図面の簡単な説明】
【０００９】
【図１】本考案に係るマスクの一実施例の斜視図
【図２】本考案に係るマスクの装着例の側面図
【考案を実施するための形態】
【００１０】
次に、本考案の実施の形態について、具体的な実施例に基づいて説明する。
【実施例】
【００１１】
図１は、本考案に係るマスクの一実施例の斜視図、図２は装着時側面である。
図１において、鼻を覆う部分１と、口を覆う部分３を別個に作り、それらを結合することにより、鼻下皮膚と接触する部分２を形成することも可能であるし、また鼻を覆う部分１と口を覆う部分３を一体ものとして、鼻下皮膚と接触する部分２に該当する箇所に縫い目を入れたり、鼻下皮膚と接触する部分２を取り付けたりすることで、形成することも可能である。
【００１２】
図２は、本考案に係るマスクの装着例である。鼻部、口部それぞれの空間（呼吸室）を持たせることでマスク臭の抑制は絶大で、鼻下皮膚と接触する部分２と鼻下部肌の密着度はそれほど厳密な必要はない。しかし、さらに密着度を高めるため、鼻下皮膚と接触する部分２に針金やゴムを付加したり、鼻下皮膚と接触する部分に空間を設けたりすることで、皮膚との接触部を複数にして口部と鼻部の空気流通の遮断を厳密化することも効果的である。
【００１３】
一方、花粉症対策あるいは重篤な風邪や呼吸器疾患用マスクとして、鼻を覆う部分１は、フィルター効果の高い厚手の素材を用いたり、肌との密着度にも十分対策を取った構造にしたりして、口を覆う部分３は薄手の素材で形成することによって、マスク装着のまま会話の可能な構造ができる。
【００１４】
すなわち、マスク装着時感じる悪臭は口臭に起因する。マスクを装着したまま会話あるいは口呼吸をすることにより口を通った呼気からマスクに臭いが移り、吸気時マスクを通過した空気にのった臭いを鼻が感じる。
【００１５】
鼻下皮膚と接触する部分２によって、鼻を覆う空間と口の周りの空間を分離することにより、仮に口呼吸によりマスクに臭いがついても、鼻呼吸は鼻を覆う部分２を通過する空気によってなされるので、臭いを感じることはなくなる。
【００１６】
さらに、鼻を覆う部分１と口を覆う部分３の素材を相違させることができるので、呼吸のほとんどを賄う鼻を覆う部分２のマスク素材を厚くしてフィルター効果を維持したまま、口を覆う部分３の素材を薄くすることにより、マスク装着のままの会話を容易にする。これらのことにより、従来マスクを常時装着しても臭いに不快な思いをしたり、臭いあるいは会話時言語明瞭にするためつい外してしまい本来の効果を無にしたりするなどの問題を解決できる。
【符号の説明】
【００１７】
１  鼻を覆う部分
２  鼻下皮膚と接触する部分
３  口を覆う部分
【図１】
0003184103.tif 000003
【図２】
0003184103.tif 000004
(57)【要約】【課題】  携帯通信機器の保護のために冠着されたカバーケースにわずかな加工を施すことで安全安定した保持操作を容易にする機能を持たす事を課題とする。【解決手段】  携帯通信機器１に冠着されたカバーケース２の底板においてその長尺方一側端又は両側端より指３節に相当する長さの位置までその対向側端より切り目４を入れ、その切り目側端に指を掛けるに適切な高さと厚さを調節加工しその切り目側端に指を掛ける事で如何に大きい幅の筐体でも指３節の幅で安全安定した保持操作が可能となる。【選択図】図１
0003184186.tif 000002
【実用新案登録請求の範囲】
【請求項１】
携帯通信機器の保護のために冠着されたカバーケースの底板において、その長尺方一側方端又は両側端より指３節に相当する長さの位置までその対向側端より切り込みを入れ、その切り目側端において指を掛けるに適切な高さと厚みをカバーケースの底板に調節加工した保持容易な携帯通信機器のカバーケース。
【考案の詳細な説明】
【技術分野】
【０００１】  本考案は携帯通信機器を保護する為に冠着されたカバーケースに於いてその筐体保持を容易にする機能を有する携帯通信機器のカバーケースに関する。
【背景技術】
【０００２】  近来スマートホンに見られる如く携帯通信機器は大画面大型化する傾向にあり、その保護のために冠着されるカバーケースはより広い幅を要し、しっかりした保持操作は困難で落下の危険多く不安定な状態で操作しているのが現状であるが、それを解決する機能を持った先行技術は特許電子図書館にも見当たらない。
【考案の概要】
【考案が解決しようとする課題】
【０００３】  前述の如く大型化した携帯通信機器の保持操作の困難さは、しっかり把持せんとする時に筐体の幅が手のひらいっぱいとなり親指の動作を大きく制約する事にある。したがって本考案では狭い幅で筐体を保持操作することを可能とする携帯通信機器のカバーケースの提供を課題とする。
【課題を解決するための手段】
【０００４】  上記課題を解決するために携帯通信機器に冠着されたカバーケースの底板において、その長尺方一側端又は両側端より指３節に相当する長さの位置までその対向側端より切り込みを入れ、その切り目側端において指を掛けるに適切な高さと厚さを底板に調節加工し、その位置において指を掛けることで指３節程の長さで筐体を保持操作する事が可能で上記の課題を解決する。
【考案の効果】
【０００５】  携帯通信機器に冠着するカバーケースは本体より広い幅を要し保持操作が困難で落下の危険があるが、安全保持の為の方策は何も施されていない。本考案になる切り込みを施設する事により保持困難な大幅の筐体にあっても指３節の幅のみによって保持し適切な高さと厚みのある底板と指が充分に活着され、親指の動作に余裕を持って操作する事が可能で、別装の器具を要せず簡単な加工によって充分な効果を得る事は産業上に於いても有利である。
【図面の簡単な説明】
【０００６】
【図１】切り込みを入れたカバーケースの平面図。
【図２】切り込みを入れたカバーケースのＡ−Ｂにおける断面図。
【図３】切り込みに指を掛けた場合の実態斜視図。
【考案を実施するための形態】
【０００７】  携帯通信機器保護のために冠着されたカバーケースの底板においてその長尺方一側端又は両側端より指３節に相当する長さの位置までその対向側端より切り目を入れ、その切り目側端に指を掛け得るに適切な高さと厚さをその底板に加工する。以下実施例を図によって説明する。
【実施例】
【０００８】携帯通信機器１に冠着されたカバーケース２の長尺方一側端又は両側端より指３節に相当する長さの位置までその対向側端より切り目４を入れることにより切り目４の部分はカバーケース２の底板が切除され携帯通信機器１の底面が露出し一段高さが下がる事になるがその位置で指を掛けるには高さが不足し指の当たりが不適であるからその位置におけるカバーケース２の底板の厚さを調節するか厚板５をその内側面又は表面に接着し指を掛け得るに適切な高さと厚さを保有する。その切り目４の側端に摩擦係数の高いゴム質材を塗着する事も適切と考えられる。
【符号の説明】
【０００９】  １  携帯通信機器
２  カバーケース
３  指３節に相当する長さ
４  切り目
５  厚板
【図１】
0003184186.tif 000003
【図２】
0003184186.tif 000004
【図３】
0003184186.tif 000005
(57)【要約】      （修正有）【課題】日常的に使用する事ができる耐久性を施し、従来に無かった新しい製品の開発を促進するテグストーションレースを提供する。【解決手段】釣やアクセサリーに使用されるテグスを素材にしてトーションレースを編む。テグスの特長「軽量」「強靭」「糸の細さ」「形状の復元性」を活かしたレースは、様々な製品開発に役立つ。【選択図】図１
0003184185.tif 000002
【実用新案登録請求の範囲】
【請求項１】
レース素材にテグスを使用して編んだトーションレース。摩擦に強く、荷重に強く、耐水性があるなど、従来のレースに無かった耐久性を備えている。また、軽量で形状復元力がある。などの特徴を備えたレース。
【考案の詳細な説明】
【技術分野】
【０００１】  本考案は、テグスをレース素材として使用したトーションレースに関するものである。
【背景技術】
【０００２】  一般にレースは綿やポリエステル、レーヨン素材などの繊維でつくられ、摩擦に弱く、先の尖ったものに引っ掛かった場合は糸が切れたり、引っぱられて形状が著しく崩れたりする。トーションレースも然り。
【考案の概要】
【考案が解決しようとする課題】
【０００３】  レースは繊細でデリケートな装飾的なもの。耐久性を必要とする製品には向かない。という考えが一般的です。しかし、レースに耐久性が組み込まれる事で、実用的でなおかつ美しい製品の開発が可能になり、今までに無かった新しい製品が生まれる可能性がある。
【課題を解決する為の手段】
【０００４】  本考案は、レース素材にテグス（一般的には釣り糸、アクセサリー材料）を使用してトーションレースを編む事で問題点を解決している。
【考案の効果】
【０００５】  上述のように、本考案のテグストーションレースはテグスの特徴である「軽量」「強靱」「糸の細さ」「形態の復元性」を活かし、エレガントでありながらも軽量で耐久性のあるバッグや帽子、靴、傘など、装飾性と時流に添った実用性を兼ね備えた製品開発に役立つ。
【図面の簡単な説明】
【０００６】【図１】本考案のレースサンプル。編み上がりの１本とそれを接いだもの。
【図２】バッグのサンプル。
【考案を実施する為の形態】
【０００７】  テグストーションレースは巾４ｃｍ前後のテープ状です。それを接ぐ事で反物状になったり、接ぎ方によっては素材の張り感（糸の復元性）を利用して帽子のような立体のものにもなる。
【図１】
0003184185.tif 000003
【図２】
0003184185.tif 000004
【手続補正書】
【提出日】平成25年3月22日(2013.3.22)
【手続補正１】
【補正対象書類名】実用新案登録請求の範囲
【補正対象項目名】全文
【補正方法】変更
【補正の内容】
【実用新案登録請求の範囲】
【請求項１】
レース素材にテグスを使用して編んだテグストーションレース。
(57)【要約】      （修正有）【課題】接続管とスリーブからなる分離型のハンドルを提供する。【解決手段】ハンドル主体は、接続管１とスリーブ２とを備え、接続管１に係合部３が設けられ、スリーブ２に係合溝４が設けられている。係合部３は、係合溝４の形状に対応する弾性突起であり、その一端は接続管１の管壁に連結され、他端は浮遊状態にある。係合部３の突起状の外表面の円の直径は、スリーブ２の対応する位置の内径よりわずかに大きい。接続管１をスリーブ２に挿入すると、係合部３の突起が弾性を有するため、係合溝４と係合部３の位置が重なり合う時に、係合部３が係合溝４内に係止される。その時、接続管１とスリーブ２との間で各方向のいずれにも相対的な運動を発生させることはできず、堅固なハンドルを形成する。接続管は同じ構造でも、スリーブを取り替えることで、ハンドルの外形、構造、及びスリーブ上の付属部材を変更できる。【選択図】図１
0003184137.tif 000002
【実用新案登録請求の範囲】
【請求項１】
接続管とスリーブとを備え、前記接続管に係合部が設けられ、前記スリーブに係合溝が設けられており、前記接続管が前記スリーブ内部に挿入されて、前記係合部及び前記係合溝を介して接続されることを特徴とする嵌挿接合ハンドル。
【請求項２】
前記スリーブに滑り止め紋が設けられていることを特徴とする請求項１に記載の嵌挿接合ハンドル。
【請求項３】
前記スリーブにフックが設けられていることを特徴とする請求項１又は２に記載の嵌挿接合ハンドル。
【請求項４】
前記フックは、密閉されたリング構造であることを特徴とする請求項３に記載の嵌挿接合ハンドル。
【請求項５】
前記フックは、半リング構造であることを特徴とする請求項３に記載の嵌挿接合ハンドル。
【考案の詳細な説明】
【技術分野】
【０００１】
本考案はハンドルに関し、特に嵌挿接合ハンドルに関する。
【背景技術】
【０００２】
ハンドルは、人々の生活の中でよく使用されるものであり、多くの日用品には握りやすい、使用に便利なハンドルが取り付けられ、人々の生活水準が向上するにつれて、ハンドルの作用は、ただその使用機能に限定されず、ハンドルの観賞性や美観の程度も、ますます多くの人々に重視されるようになっている。
従来のハンドルは、一体式構造であることが多く、このようなハンドルを美しく作って、ひいてはハンドルの異なる部分を、異なる色にすることは非常に面倒である。外観構造が異なるハンドルを製造するには、通常、異なる金型を生産して製造する必要があり、ハンドル全体の金型を改造することは、製造コストが高く、ハンドルの品種多様化の発展に不利である。
【考案の概要】
【考案が解決しようとする課題】
【０００３】
上記従来技術に対し、本考案の課題は、分離型ハンドルを設計し、ハンドル主体を２つの部分に分け、そのうちの第一部分は、ハンドルを取り付ける必要のある装置に接続され、第二部分は第一部分に嵌挿接合されるものであって、第二部分は汎用構造で製造され、第一部分は異なる外観及び機能の要求に応じて、異なる色と形状に製造することである。
【課題を解決するための手段】
【０００４】
この課題を達成するために、本考案の嵌挿ハンドルは、接続管とスリーブとを備え、前記接続管に係合部が設けられ、前記スリーブに係合溝が設けられており、前記接続管が前記スリーブ内部に挿入されて、係合部及び係合溝を介して接続されることを特徴とする。
【０００５】
さらに、前記スリーブに滑り止め紋が設けられていてもよい。
【０００６】
さらに、前記スリーブにフックが設けられていてもよい。
【０００７】
さらに、前記フックは、密閉されたリング構造であってもよい。
【０００８】
さらに、前記フックは、半リング構造であってもよい。
【考案の効果】
【０００９】
本考案は、接続管とスリーブとが分離型設計であり、接続管は同じ構造を採用してよく、更に異なるスリーブを取り替えることで、ハンドルの外形、構造、及びスリーブ上の付属部材を変更するものである。生産過程において、接続管は同じ金型で製造してもよく、このようにして、ハンドルの汎用性を保証するばかりでなく、ハンドルの美観性を向上させ、異なる場合に応じて機能構造の異なるハンドルを設計することができ、生産コストを低下させ、且つ生産効率を有効的に向上させるという有益な効果を奏する。
【図面の簡単な説明】
【００１０】
【図１】図１は、本考案による嵌挿接合ハンドル分解図である。
【図２】図２は、スリーブ構造模式図である。
【図３】図３は、接続管構造模式図である。
【図４】図４は、フックが半リング構造である模式図である。
【考案を実施するための形態】
【００１１】
以下、図面を参照して具体的な実施形態によって、本考案の嵌挿ハンドルを説明する。
図１〜４に示すように、本実施例において、本考案による嵌挿接合ハンドルは、接続管１とスリーブ２とを備え、接続管１に係合部３が設けられ、スリーブ２に係合溝４が設けられている。接続管１がスリーブ２内部に挿入されて、係合部３及び係合溝４を介して接続される。前記スリーブ２の表面には、滑り止め紋５が設けられ、スリーブ２の先端部には、フック６が設けられている。
【００１２】
前記係合溝４は、スリーブ２の壁に対称的に設けられ、スリーブ２の壁を貫通するノッチである。前記係合部３は、係合溝４の形状に対応する弾性突起であり、その一端は接続管１の管壁に連結され、他端は浮遊状態にある。前記係合部３の突起する外表面が所在する円の直径は、スリーブ２の対応する位置の内径よりわずかに大きく、取り付ける際に、接続管１をスリーブ２に挿入すると、係合部３の突起が弾性を有するため、挿入過程中に影響を受けず、係合溝４と係合部３の位置が重なり合う時に、係合部３が係合溝４内に係止される。その時、接続管１とスリーブ２との間で各方向のいずれにも相対的な運動を発生させることはできず、堅固なハンドルを形成する。
【００１３】
接続管１とスリーブ２を外す時、係合部３の円周直径が、スリーブ２の相応する部分の内径より小さくなるまで係合部３を軽く押し、接続管１を抜き出せばよい。
【００１４】
図２に示すように、前記フック６は密閉されたリング構造に設計してもよい。
【００１５】
図４に示すように、前記フック６は半リング構造に設計してもよい。
【００１６】
接続管１とスリーブ２は分離型設計であり、接続管１は同じ構造を採用してもよく、更に異なるスリーブ２を取り替えることで、ハンドルの外形、構造、及びスリーブ２上の付属部材を変更することができる。生産過程において、接続管１は同じ金型で製造してよい。このようにして、ハンドルの汎用性を保証するばかりでなく、ハンドルの美観性を向上させ、異なる場合に応じて機能構造の異なるハンドルを設計することができ、生産コストを低下させ、且つ有効的に生産効率を向上させる。
【符号の説明】
【００１７】
１  接続管、２  スリーブ、３  係合部、４  係合溝、５  滑り止め紋、６  フック
【図１】
0003184137.tif 000003
【図２】
0003184137.tif 000004
【図３】
0003184137.tif 000005
【図４】
0003184137.tif 000006
(57)【要約】      （修正有）【課題】ラッチロッドをラッチシート内部に設置し、接続棒機構でラッチをロッキング制御し、スプリングでラッチを容易に復位できるラッチを提供する。【解決手段】ラッチシート１とラッチロッド２とを備えるラッチであって、ラッチシートは、中空柱状構造であり、その一端が徐々に収縮し、且つラッチホールが設けられ、その内部にラッチロッドが設置される。ラッチシートにその軸方向に沿ってシュート９が開設され、シュート内にラッチシートの径方向に沿って第３連結ピン８が設置され、ラッチロッドが第３連結ピンを介してラッチシート内に取り付けられる。第３連結ピン上に第２連接棒７が連結され、第２連接棒の上端が第２連結ピン６を介して第１連接棒５にヒンジ連結され、第１連接棒が第１連結ピン４を介してラッチシートにヒンジ連結される。接続棒機構及びスプリング３によりラッチの運動を制御する。【選択図】図１
0003184140.tif 000002
【実用新案登録請求の範囲】
【請求項１】
ラッチシートとラッチロッドとを備えるラッチであって、前記ラッチシートは、中空柱状構造であり、その一端が徐々に収縮して、且つラッチホールが設けられており、その内部にラッチロッドが設置されており、前記ラッチシートにその軸方向に沿ってシュートが開設されており、前記シュート内にラッチシートの径方向に沿って第３連結ピンが設置されており、前記ラッチロッドが第３連結ピンを介してラッチシート内に取り付けられ、前記第３連結ピン上に第２連接棒が連結されており、前記第２連接棒の上端が第２連結ピンを介して第１連接棒にヒンジ連結され、前記第１連接棒が第１連結ピンを介してラッチシートにヒンジ連結されることを特徴とするラッチ。
【請求項２】
前記ラッチロッド上にスプリングが套設されていることを特徴とする請求項１に記載のラッチ。
【考案の詳細な説明】
【技術分野】
【０００１】
本考案は、ラッチに関する。
【背景技術】
【０００２】
ラッチは位置合わせ、結合モジュールの脱離防止用の金物である。ラッチは、主に、結合する２つの物品の対向する箇所に、対応するラッチホールが形成されており、寸法が相当であるラッチロッドを挿し込むことにより、２つの物品を結合させるものである。この構造で、単純にラッチロッドとラッチホールとの嵌合により位置合わせしており、物品が振動する時、ラッチロッドの脱落を起こしやすく、予想外の事態が発生しやすく、また、通常のラッチのロッキングの時、リリースの時、いずれもラッチロッドを制御することが必要であり、ラッチロッドがラッチ取付座の内部にある場合、制御することは容易ではない。
【考案の概要】
【考案が解決しようとする課題】
【０００３】
本考案が解決しようとする課題は、ラッチロッドがラッチシート内部に設置され、接続棒機構によりラッチをロッキングするように制御し、スプリングによる作用力を利用してラッチを容易に復位することである。
【課題を解決するための手段】
【０００４】
この目的を達成するために、本考案は以下の技術案を採用する。
【０００５】
ラッチシートとラッチロッドとを備えるラッチであって、前記ラッチシートは、中空柱状構造であり、その一端が徐々に収縮して、且つラッチホールが設けられており、その内部にラッチロッドが設置されており、前記ラッチシートにその軸方向に沿ってシュートが開設されており、前記シュート内にラッチシートの径方向に沿って第３連結ピンが設置されており、前記ラッチロッドが第３連結ピンを介してラッチシート内に取り付けられ、前記第３連結ピン上に第２連接棒が連結されており、前記第２連接棒の上端が第２連結ピンを介して第１連接棒にヒンジ連結され、前記第１連接棒が第１連結ピンを介してラッチシートにヒンジ連結される。
【０００６】
好ましくは、前記ラッチロッド上にスプリングが套設されている。
【考案の効果】
【０００７】
本考案によれば、ラッチロッドがラッチシート内部に設けられているので、脱落しにくく、接続棒機構及びスプリングによりラッチの運動を制御することで、ラッチのロッキングとリリースを容易に実現でき、接続棒機構がラッチシートの外壁にもたれる時、ラッチがロックし、接続棒機構を引いてスプリングの弾性力により、ラッチが復位するという有益効果を奏している。
【図面の簡単な説明】
【０００８】
【図１】本考案によるラッチ構造模示図である。
【考案を実施するための形態】
【０００９】
以下、図面及び実施例を参照して本考案を更に詳しく説明する。
図面を参照して、具体的な実施形態によりさらに本考案の技術案を説明する。
【００１０】
図１に示すように、本実施例において、本考案によるラッチは、ラッチシート１とラッチロッド２とを備え、前記ラッチシート１は、中空柱状構造であり、その一端が徐々に収縮して、且つラッチホールが設けられ、その内部にラッチロッド２が設置されている。前記ラッチシートには、その径方向に沿ってシュート９が開設され、前記シュート９内にはラッチシート１の軸方向に沿って第３連結ピン８が設置され、前記ラッチロッド２は、第３連結ピン８を介してラッチシート１内に取り付けられ、前記第３連結ピン８上に第２連接棒７が連結され、前記第２連接棒７の上端は第２連結ピン６を介して第１連接棒５にヒンジ連結され、前記第１連接棒５は第１連結ピン４を介してラッチシート１にヒンジ連結され、前記ラッチロッド２上にスプリング３が套設されている。
【００１１】
動作の時、第１連接棒５を手動制御してラッチシート１外壁にもたれさせる。その時、第２連接棒７は、第１連接棒５の駆動で第３連結ピン８を連れて、シュート９に沿って下向きに運動し、第３連結ピン８とラッチロッド２とが連結され、ラッチロッド２は、ラッチシート１内で下向きに運動してラッチシート１の末端にあるラッチホールを挿し通し、ラッチのロッキングを実現する。ラッチをリリースしようとする時、外向きに第１連接棒５を引き、スプリング３の作用力によりラッチロッド２を駆動して復位する。
【符号の説明】
【００１２】
１    ラッチシート
２    ラッチロッド
３    スプリング
４    第１連結ピン
５    第１連接棒
６    第２連結ピン
７    第２連接棒
８    第３連結ピン
９    シュート
【図１】
0003184140.tif 000003
(57)【要約】      （修正有）【課題】貴重品と貴重品以外と区別して収納し管理しやすく、盗難や紛失を防止できる二重ポケットを提供する。【解決手段】ポケットを二重ポケットにして袋体２の出し入れ口に粘着テープ１を縫着しここに貴重品を収納する。また袋体３の方に貴重品以外の物を収納できる構造としたことを特徴とする。【選択図】図２
0003184194.tif 000002
【実用新案登録請求の範囲】
【請求項１】
本考案はポケットを二重ポケットにし袋体（２）の出し入れ口に粘着テープ（１）を縫着し収納できる  また袋体（３）を設け収納できる二重ポケットの構造
【考案の詳細な説明】
【技術分野】
【０００１】  本考案はポケットを二重ポケットに縫製し  袋体（２）の出し入れ口に粘着テープ（１）を縫着しここに貴重品を入れる
また袋体（３）を設けここに貴重品以外の物を収納する
二重ポケットの構造
【背景技術】
【０００２】  従来のポケットは一重ポケットで貴重品と貴重品以外と区別して収納できなかった  また釦にフラップを掛けただけのものである
【先行技術文献】
【特許文献】
【考案概要】
【考案を解決しようとする課題】
従来のポケットは一重ポケットで貴重品と貴重品以外と区別して収納ができなかった
【考案を解決するための手段】
本考案はポケットを二重ポケットに縫製し袋体（２）の出し入れ口に粘着テープ（１）を縫着しここに貴重品を収納し袋対（３）に貴重品以外の物を収納し貴重品と貴重品以外と区別して収納できる考案です
【考案の効果】
本考案を使用することにより貴重品と貴重品以外と区別して収納し管理しやすく  また盗難や紛失を防止できる
【図面の簡単な説明】
【図１】  正面図
【図２】  Ａ−Ａ断面  詳細拡大図
【考案を実施するための形態】
【実施例】  本考案はポケットを二重ポケットに縫製し袋体（２）の出し入れ口に粘着テープ（１）を縫着しここに貴重品を収納し  袋体（３）に貴重品以外な物を収納し貴重品と貴重品以外な物と区別して収納できる
【産業上の利用可能性】
【利用状況】
【符号の説明】１粘着テープ
２貴重品を収納する所
３貴重品以外を収納する所
４内ポケット側
５釦
６フラップ
【図１】
0003184194.tif 000003
【図２】
0003184194.tif 000004
【手続補正書】
【提出日】平成25年3月18日(2013.3.18)
【手続補正１】
【補正対象書類名】実用新案登録請求の範囲
【補正対象項目名】全文
【補正方法】変更
【補正の内容】
【実用新案登録請求の範囲】
【請求項１】
ポケットを二重に縫製することで２つの袋体（２，３）を構成し、一方の袋体（２）の出し入れ口に粘着テープ（１）を逢着し、他方の袋体（３）の出し入れ口には粘着テープを設けていないことを特徴とする二重ポケット。